(57)【要約】【課題】アウトドアのような不安定な場所であっても発光量を容易に調整可能な照明装置を提供する。【解決手段】照明装置１は、軸方向に延び、少なくとも一部に透過部を有するシェード２と、透過部を透過するように、シェード２の軸方向の一端側からシェード２内に向けて発光可能な光源４と、軸を中心としてシェード２が回転された際の回転量を検出する検出部５と、検出された回転量に応じて光源４の発光量を制御する制御部６と、を備えている。このような構成によれば、発光量を調整するためのスイッチ等を必要とせずに、シェード２を回転させるという簡易な動作により発光量を調整することができるので、アウトドア等の暗闇においても発光量を調整することが容易となる。また、照明装置１を外部に固定する必要がないので、携帯利用により効果を発揮する。【選択図】図１
2019117705.tif 000002
【特許請求の範囲】
【請求項１】
軸方向に延び、少なくとも一部に透過部を有するシェードと、
前記透過部を透過するように、前記シェードの軸方向の一端側から前記シェード内に向けて発光可能な光源と、
前記軸を中心として前記シェードが回転された際の回転量を検出する検出部と、
前記検出された回転量に応じて前記光源の発光量を制御する制御部と、
を備えたことを特徴とする照明装置。
【請求項２】
前記シェードの一端側には、前記光源、前記検出部、及び、前記制御部が設けられた本体が着脱可能に取り付けられていることを特徴とする請求項１に記載の照明装置。
【請求項３】
前記シェードは、開放された側が前記一端側を構成するコップ形状を有していることを特徴とする請求項２に記載の照明装置。
【請求項４】
前記本体からは、前記本体とは独立して回転可能な吊り下げ用フックが外部に向けて突出していることを特徴とする請求項２又は３に記載の照明装置。
【請求項５】
前記光源が発する光は、上方に位置する前記一端側から下方に位置する他端側に向けて主に指向されていることを特徴とする請求項１から４のいずれか一項に記載の照明装置。
【請求項６】
前記シェードの前記一端側と反対側に形成された底面が載置され、前記シェードを前記軸を中心として回転可能に支持する載置台を更に備えたことを特徴とする請求項１から５のいずれか一項に記載の照明装置。
【請求項７】
軸方向に延び、少なくとも一部に透過部を有するシェードの一端側に着脱可能な照明装置であって、
前記透過部を透過するように、前記シェードの軸方向の一端側から前記シェード内に向けて発光可能な光源と、
前記軸を中心として前記シェードが回転された際の回転量を検出する検出部と、
前記検出された回転量に応じて前記光源の発光量を制御する制御部と、
前記光源、前記検出部、及び、前記制御部が設けられ、前記シェードの一端側に着脱可能に取り付けられる本体と、
を備えたことを特徴とする照明装置。
【請求項８】
前記本体からは、前記本体とは独立して回転可能な吊り下げ用フックが外部に向けて突出していることを特徴とする請求項７に記載の照明装置。
【請求項９】
前記本体は、前記シェードに取り付けるための取付部を備えていることを特徴とする請求項７又は８に記載の照明装置。
【発明の詳細な説明】
【技術分野】
【０００１】
本発明は、ランタン等の照明装置に関する。
【背景技術】
【０００２】
従来より、回転された際に、その回転状態に基づいて発光部材の発光状態を変化させる照明装置が知られている。（例えば、特許文献１参照）。
【先行技術文献】
【特許文献】
【０００３】
【特許文献１】特開２０１７−５０１２２号公報
【発明の概要】
【発明が解決しようとする課題】
【０００４】
しかしながら、上記技術では、照明装置１は、接地面Ｇに設置し、Ｚ軸を回転軸として回転力が加えられた際に、Ｘ軸とＹ軸のそれぞれの方向の加速度に応じて発光量を段階的に調整しているだけである。詳細には、Ｘ軸とＹ軸のそれぞれの方向の加速度に応じて何度回転したかを検出し、９０度回転するごとに発光量を変化させているだけである。
【０００５】
一方で、アウトドアのような不安定な場所では、もっと簡易的に発光量を調整することが望まれている。
【０００６】
そこで、本発明は、アウトドアのような不安定な場所であっても発光量を容易に調整することの可能な照明装置を提供することを目的としている。
【課題を解決するための手段】
【０００７】
本発明は、軸方向に延び、少なくとも一部に透過部を有するシェードと、前記透過部を透過するように、前記シェードの軸方向の一端側から前記シェード内に向けて発光可能な光源と、前記軸を中心として前記シェードが回転された際の回転量を検出する検出部と、前記検出された回転量に応じて前記光源の発光量を制御する制御部と、を備えたことを特徴とする照明装置を提供している。
【０００８】
このような構成によれば、発光量を調整するためのスイッチ等を必要とせずに、シェードを回転させるという簡易な動作により発光量を調整することができるので、アウトドア等の暗闇においても発光量を調整することが容易となる。また、照明装置を外部に固定する必要がないので、携帯利用により効果を発揮する。
【０００９】
また、前記シェードの一端側には、前記光源、前記検出部、及び、前記制御部が設けられた本体が着脱可能に取り付けられていることが好ましい。
【００１０】
このような構成によれば、光源、検出部、又は、制御部の故障等の際には、本体をシェードから取り外して交換可能であり、また、透過部の色彩や透過度を変更したい場合等には、シェードを本体から取り外して交換可能となる。
【００１１】
また、前記シェードは、開放された側が前記一端側を構成するコップ形状を有していることが好ましい。
【００１２】
このような構成によれば、本体をシェードから取り外せば、シェードをコップとして使用することができ、アウトドア等に携帯する荷物を一品少なくすることが可能となる。
【００１３】
また、前記本体からは、前記本体とは独立して回転可能な吊り下げ用フックが外部に向けて突出していることが好ましい。
【００１４】
このような構成によれば、シェードを載置できるような水平面が存在しない場合であっても、吊り下げ用フックで樹木の枝等から吊り下げた状態で発光量を調整することが可能となる。
【００１５】
また、前記光源は、上方に位置する前記一端側から下方に位置する他端側に向けて主に指向させたＬＥＤであることが好ましい。
【００１６】
このような構成によれば、従来の照明装置のように上方に配置した反射板により下方へ向けて光を反射させる必要がなくなるので、部品点数が軽減され、携帯時の重量を軽減することが可能となる。
【００１７】
また、前記シェードの前記一端側と反対側に形成された底面が載置され、前記シェードを前記軸を中心として回転可能に支持する載置台を更に備えたことを特徴とする請求項１から５のいずれか一項に記載の照明装置。
【００１８】
このような構成によれば、シェードの回転を補助することができるので、テーブル上でシェード２を高速で回転させて光量や色彩の変化等を楽しむ用途に照明装置１を使用することが可能となる。
【００１９】
また、本発明の別の観点によれば、軸方向に延び、少なくとも一部に透過部を有するシェードの一端側に着脱可能な照明装置であって、前記透過部を透過するように、前記シェードの軸方向の一端側から前記シェード内に向けて発光可能な光源と、前記軸を中心として前記シェードが回転された際の回転量を検出する検出部と、前記検出された回転量に応じて前記光源の発光量を制御する制御部と、前記光源、前記検出部、及び、前記制御部が設けられ、前記シェードの一端側に着脱可能に取り付けられる本体と、を備えたことを特徴とする照明装置を提供している。
【００２０】
このような構成によれば、発光量を調整するためのスイッチ等を必要とせずに、シェードを回転させるという簡易な動作により発光量を調整することができるので、アウトドア等の暗闇においても発光量を調整することが容易となる。また、照明装置を外部に固定する必要がないので、携帯利用により効果を発揮する。また、光源、検出部、又は、制御部の故障等の際には、本体をシェードから取り外して交換可能であり、また、透過部の色を変更したい場合等には、シェードを本体から取り外して交換可能となる。更に、コップをシェードとして利用すれば、アウトドア等に携帯する荷物を一品少なくすることが可能となる。
【００２１】
また、前記本体からは、前記本体とは独立して回転可能な吊り下げ用フックが外部に向けて突出していることが好ましい。
【００２２】
このような構成によれば、シェードを載置できるような水平面が存在しない場合であっても、吊り下げ用フックで樹木の枝等から吊り下げた状態で発光量を調整することが可能となる。
【００２３】
また、前記本体は、前記シェードに取り付けるための取付部を備えていることが好ましい。
【００２４】
このような構成によれば、シェードの回転を補助することができるので、テーブル上でシェードを高速で回転させて光量や色彩の変化等を楽しむ用途等に照明装置を使用することが可能となる。
【発明の効果】
【００２５】
本発明の照明装置によれば、アウトドアのような不安定な場所であっても容易に発光量を調整することが可能となる。
【図面の簡単な説明】
【００２６】
【図１】本発明の実施の形態による照明装置の外観図
【図２】本発明の実施の形態によるシェード及び本体の外観図
【図３】本発明の実施の形態による本体のブロック図
【図４】本発明の実施の形態による照明装置の使用例
【図５】本発明の実施の形態による照明装置の使用例
【図６】本発明の変形例による本体の断面図
【図７】本発明の変形例による照明装置の使用例
【図８】本発明の変形例による照明装置の使用例
【図９】本発明の変形例による載置台の外観図
【発明を実施するための形態】
【００２７】
以下、本発明の実施の形態による照明装置１について、図１−図５を参照して説明する。
【００２８】
図１及び図２に示すように、本実施の形態による照明装置１は、シェード２と、本体３と、を備えている。照明装置１としては、ランタン等が考えられる。
【００２９】
シェード２は、軸方向（図１及び図２では、上下方向）に延び、少なくとも一部に透過部を有している。本実施の形態では、シェード２は、透過性を有するコップ形状を有しており、縁部２１側が上方、底面２２が下方となるように配置される。なお、本実施の形態の縁部２１側が本発明の“一端側”に相当する。
【００３０】
また、シェード２の縁部２１の内周面には、本体３と嵌合可能な第１の嵌合溝２３が形成されている。
【００３１】
本体３は、シェード２の縁部２１側の内周面と略一致する略平板形状を有しており、その周縁部には、シェード２に形成された第１の嵌合溝２３と嵌合可能な第２の嵌合溝３１が形成されている。
【００３２】
また、本体３は、図２及び図３に示すように、光源４と、検出部５と、制御部６と、を備えている。
【００３３】
光源４は、シェード２の縁部２１側からシェード２内に向けて発光可能であり、本実施の形態では、上方に位置する縁部２１側から下方に位置する底面２２側に向けて主に指向させたＬＥＤを採用する。なお、本実施の形態の底面２２側が本発明の“他端側”に相当する。
【００３４】
検出部５は、軸を中心としてシェード２が回転された際の回転量（角度の変化）を検出するものであり、本実施の形態では、ジャイロセンサを採用する。ジャイロセンサを用いた場合には、回転量は、角速度及び経過時間から導くことができる。
【００３５】
制御部６は、検出部５により検出された回転量に応じて光源４の発光量を制御する。本実施の形態では、所定方向への回転量が増加するほど発光量が多くなるように制御し、所定方向と逆方向への回転量が増加するほど発光量が少なくなるように制御する。そして、所定方向への回転量が所定以上となった場合に、最大光量での発光を維持し、所定方向と逆方向への回転量が所定以上となった場合に、最小光量での発光を維持する。
【００３６】
また、図１及び図２に示すように、本体３からは、本体３とは独立して回転可能な吊り下げ用フック３２が外部（図１及び図２では、上方）に向けて突出している。
【００３７】
このような構成の下、照明装置１を地面等に載置して使用する際には、シェード２の底面２２を地面等に固定することなく載置した状態で、図４に示すように、シェード２を軸を中心として回転させることで、回転量に応じて発光量が調整される。
【００３８】
また、載置するに適した地面等が存在しない場合には、図５に示すように、ロープや木の枝等に吊り下げ用フック３２を通し、シェード２を軸を中心として回転させることで、回転量に応じて発光量が調整される。
【００３９】
以上説明したように、本実施の形態による照明装置１では、シェード２を回転させた際の回転量に応じて光源の発光量を制御する。
【００４０】
このような構成によれば、発光量を調整するためのスイッチ等を必要とせずに、シェード２を回転させるという簡易な動作により発光量を調整することができるので、アウトドア等の暗闇においても発光量を調整することが容易となる。また、照明装置１を外部に固定する必要がないので、携帯利用により効果を発揮する。
【００４１】
また、本実施の形態による照明装置１では、シェード２の縁部２１側（一端側）には、光源４、検出部５、及び、制御部６が設けられた本体３が着脱可能に取り付けられている。
【００４２】
このような構成によれば、光源４、検出部５、又は、制御部６の故障等の際には、本体３をシェード２から取り外して交換可能であり、また、透過部の色彩や透過度を変更したい場合等には、シェード２を本体３から取り外して交換可能となる。
【００４３】
また、本実施の形態による照明装置１では、シェード２は、コップ形状を有している。
【００４４】
このような構成によれば、本体３をシェード２から取り外せば、シェード２をコップとして使用することができ、アウトドア等に携帯する荷物を一品少なくすることが可能となる。
【００４５】
また、本実施の形態による照明装置１では、本体３からは、本体３とは独立して回転可能な吊り下げ用フック３２が外部に向けて突出している。
【００４６】
このような構成によれば、シェード２を載置できるような水平面が存在しない場合であっても、吊り下げ用フック３２で樹木の枝等から吊り下げた状態で発光量を調整することが可能となる。
【００４７】
また、本実施の形態による照明装置１では、光源４は、上方に位置する縁部２１側（一端側）から下方に位置する底面２２（他端側）に向けて主に指向させたＬＥＤである。
【００４８】
このような構成によれば、従来の照明装置のように上方に配置した反射板により下方へ向けて光を反射させる必要がなくなるので、部品点数が軽減され、携帯時の重量を軽減することが可能となる。
【００４９】
尚、本発明の照明装置は、上述した実施の形態に限定されず、特許請求の範囲に記載した範囲で種々の変形や改良が可能である。
【００５０】
例えば、上記実施の形態では、照明装置１は、シェード２と、本体３と、を備えていたが、本体３のみを提供し、ユーザが所持するコップに取り付ける構成も考えられる。
【００５１】
この場合、本体３に取付部３３を備えていることが好ましい。取付部３３としては、例えば、図６に示すように、コップ（シェード２）の縁部２１を挟むために本体３の側部から突出した挟持部材等が考えられる。この挟持部材を弾性体で形成することで、多少のコップサイズの違いであれば、その縁部２１を挟持することが可能となる。
【００５２】
このような構成によれば、ユーザが携帯する様々なサイズのコップ等をシェード２として利用することが可能となる。
【００５３】
また、上記実施の形態では、本発明の“シェード”として、透過性を有するコップ形状のものを採用したが、空洞でないシェードや円筒形状でないシェードであっても、シェードを回転させることにより発光量を調整することは可能である。
【００５４】
また、本発明の“コップ形状”とは、筒状部材の開放端の一方が塞がれているものを意味する。筒状部材には、円筒や角筒が含まれる。また、筒状部材は、側面視において、長方形（正方形）のものに限らず、台形や、湾曲等を伴った形状であってもよい。
【００５５】
また、上記実施の形態では、シェード２は、全体が透過性を有していたが、部分的に透過部を有する場合も本発明に含まれる。
【００５６】
また、上記実施の形態では、シェード２をコップとして利用する目的や、光源４、検出部５、又は、制御部６を交換する目的で、本体３をシェード２から取り外し可能としたが、シェードを回転させることにより発光量を調整するためには、必ずしも本体３をシェード２から取り外し可能でなくてもよい。
【００５７】
また、上記実施の形態では、光源４は、上方に位置する縁部２１側（一端側）から下方に位置する底面２２（他端側）に向けて指向させたＬＥＤであるため、縁部２１側が上方、底面２２が下方となるようにしてシェード２を使用したが、図７に示すように、上下を逆にして使用することを排除するものではない。
【００５８】
光源４が縁部２１側（一端側）から底面２２（他端側）に向けて指向させたＬＥＤであることを利用して、図８に示すように、手持ちで懐中電灯のように使用することも可能である。
【００５９】
また、上記実施の形態では、光源４として、上方に位置する縁部２１側から下方に位置する底面２２側に向けて主に指向させたＬＥＤを採用したが、その他の光源を用いることもできる。
【００６０】
また、上記実施の形態の構成に加え、シェード２の底面２２が載置され、シェード２を軸を中心として回転可能に支持する載置台７を別途備えてもよい。載置台７としては、図９に示すように、底面２２の外側部分を支持する複数のベアリングを採用してもよいし、シェード２の底面２２の中心に凸部（又は凹部）を形成し、載置台７にシェード２の凸部（又は凹部）に対応した凹部（又は凸部）を形成してもよい。
【００６１】
このような構成によれば、シェード２の回転を補助することができるので、テーブル上でシェード２を高速で回転させて光量や色彩の変化を楽しむ用途等に照明装置１を使用することが可能となる。
【符号の説明】
【００６２】
１        照明装置
２        シェード
３        本体
４        光源
５        検出部
６        制御部
７        載置台
２１     縁部
２２     底面
２３     第１の嵌合溝
３１     第２の嵌合溝
３２     吊り下げ用フック
３３     取付部
【図１】
2019117705.tif 000003
【図２】
2019117705.tif 000004
【図３】
2019117705.tif 000005
【図４】
2019117705.tif 000006
【図５】
2019117705.tif 000007
【図６】
2019117705.tif 000008
【図７】
2019117705.tif 000009
【図８】
2019117705.tif 000010
【図９】
2019117705.tif 000011